(57)【要約】  【課題】既設の安定器ボックスを本体枠から取り外さなくても、新設の安定器ボックスを本体枠に取付可能として、既設の安定器ボックスの交換作業を容易とし、頻繁に廃材が発生するのを防止する。  【解決手段】天井面に沿う平行な一対の天井支持バーを含むシステム天井材と、照明器具とを含む天井システムにおいて、その照明器具の安定器ボックスの交換用として新設の安定器ボックス８を使用する。これは、照明器具の本体枠の長手方向の両側部上に掛止する掛止用鍔部８０１，８０１および上記両側部下に当接する当接用鍔部８０２，８０２を有し、高さが上記両側部間の寸法よりも短い新設ボックス８０と、交流電源から蛍光灯用電力を得て、各ソケット台の二組のソケット間に装着される蛍光灯に供給する新設安定器８３とを備え、当接用鍔部８０２，８０２を本体枠に取り付けることにより、本体枠に取り付けられる。【選択図】図１
2005100862.tif 000002
【特許請求の範囲】
【請求項１】
天井面に沿う平行な一対の天井支持バーを含むシステム天井材と、照明器具とを含み、
前記照明器具が、矩形枠状で、短手方向の両側部の各々が少なくとも一つのソケットを取り付けるためのソケット台を兼ねる形状に形成され、前記一対の天井支持バーに載置される本体枠と、この本体枠の各ソケット台に取り付けられ、互いに対向配置される少なくとも一組のソケットと、前記本体枠の長手方向の両側部におけるその本体枠の一方のソケット台側に載置されるボックスを備えるとともに、交流電源から放電灯用電力を得て前記少なくとも一組のソケット間に装着される放電灯に供給する安定器を前記ボックス内に備える安定器ボックスとにより構成される
天井システムにおいて、既設の前記安定器ボックスの交換用として前記本体枠に取り付けられる新設の安定器ボックスであって、
前記本体枠の長手方向の両側部に上側から掛止する一対の掛止用鍔部およびそれら両側部に下側から当接する一対の当接用鍔部を有し、高さがそれら両側部間の寸法よりも短い寸法に設定された新設ボックスを備えるとともに、交流電源から放電灯用電力を得て、前記各ソケット台の少なくとも一組のソケット間に装着される放電灯に供給する新設安定器を前記新設ボックス内に備え、
前記一対の当接用鍔部を前記本体枠に下側から当接した状態で固定することにより、前記本体枠に取り付け固定されることを特徴とする天井システム用安定器ボックス。
【請求項２】
前記一対の掛止用鍔部および前記一対の当接用鍔部は、それぞれ前記本体枠の一方のソケット台側および他方のソケット台側に設けられ、
前記新設ボックスは、前記一対の当接用鍔部の側に、前記本体枠の他方のソケット台となる側部の一部と係合する係合部を有している
ことを特徴とする請求項１記載の天井システム用安定器ボックス。
【請求項３】
リード線を介して前記新設安定器の出力に接続される新設ソケットを複数備え、これら複数の新設ソケットは、前記複数のソケットに代えて前記各ソケット部に取り付けられることを特徴とする請求項１または２記載の天井システム用安定器ボックス。
【発明の詳細な説明】
【技術分野】
【０００１】
本発明は、天井面に沿う平行な一対の天井支持バーを含むシステム天井材と、その一対の天井支持バーに載置される照明器具とを含む天井システムにおいて、既設の照明器具の安定器ボックスの交換用として使用される天井システム用安定器ボックスに関するものである。
【背景技術】
【０００２】
図５は従来の天井システムに使用される照明器具の構成図である（例えば特許文献１等参照）。図５（ａ）に示す照明器具２は、矩形枠状で、短手方向の両側部３１，３１の各々が少なくとも一つのソケットを取り付けるためのソケット台を兼ねる形状に形成され、取付部材３０（特許文献１ではＬ状片および垂下片からなる部材）を４個用いて一対の天井支持バー（図示せず）に載置される本体枠３と、この本体枠３の各ソケット台に取り付けられ、互いに対向配置される少なくとも一組のソケット（図示せず）と、安定器ボックス５とにより構成されている。
【０００３】
安定器ボックス５は、本体枠３の長手方向の両側部３２，３２におけるその本体枠３の一方のソケット台（図では右方の側部３１）側に載置されるボックス５０を備えるとともに、交流電源からの電線と接続される端子台（図示せず）と、この端子台を介して接続される交流電源から放電灯（蛍光灯）用電力を得て上記少なくとも一組のソケット間に装着される放電灯に供給する安定器とを、ボックス５０内に備える。なお、図５において、Ｓ２，Ｓ３はねじ、３２ａはねじＳ２用のねじ孔、３１１は鍔部、３１２は突片、５００は鍔部、５００ａはねじＳ２（の足部）挿通用のねじ挿通孔である。
【０００４】
このような構成の照明器具２では、図５（ｂ）に示すように、本体枠３から既設の安定器ボックス５を取り外し、図５（ｃ）に示すように、新たな安定器ボックス８を本体枠３に取り付けることにより、既設の安定器ボックス５が新たな安定器ボックス８と交換される。
【特許文献１】特開平８−１７２３６号公報
【発明の開示】
【発明が解決しようとする課題】
【０００５】
しかしながら、図５に示す従来の照明器具２では、新設の安定器ボックス８への交換時に既設の安定器ボックス５を本体枠３から取り外さなくてはならず、交換作業が手間であった。また、交換時に取り外された安定器ボックス５などが廃材となるので、頻繁に廃材が発生するという問題もある。
【０００６】
本発明は、上記事情に鑑みてなされたものであり、既設の安定器ボックスを本体枠から取り外さなくても、新設の安定器ボックスを本体枠に取り付けることができ、既設の安定器ボックスの交換作業が容易となる上、頻繁に廃材が発生するのを防止することができる天井システム用安定器ボックスを提供することを目的とする。
【課題を解決するための手段】
【０００７】
上記課題を解決するための請求項１記載の発明の天井システム用安定器ボックスは、天井面に沿う平行な一対の天井支持バーを含むシステム天井材と、照明器具とを含み、前記照明器具が、矩形枠状で、短手方向の両側部の各々が少なくとも一つのソケットを取り付けるためのソケット台を兼ねる形状に形成され、前記一対の天井支持バーに載置される本体枠と、この本体枠の各ソケット台に取り付けられ、互いに対向配置される少なくとも一組のソケットと、前記本体枠の長手方向の両側部におけるその本体枠の一方のソケット台側に載置されるボックスを備えるとともに、交流電源から放電灯用電力を得て前記少なくとも一組のソケット間に装着される放電灯に供給する安定器を前記ボックス内に備える安定器ボックスとにより構成される天井システムにおいて、既設の前記安定器ボックスの交換用として前記本体枠に取り付けられる新設の安定器ボックスであって、前記本体枠の長手方向の両側部に上側から掛止する一対の掛止用鍔部およびそれら両側部に下側から当接する一対の当接用鍔部を有し、高さがそれら両側部間の寸法よりも短い寸法に設定された新設ボックスを備えるとともに、交流電源から放電灯用電力を得て、前記各ソケット台の少なくとも一組のソケット間に装着される放電灯に供給する新設安定器を前記新設ボックス内に備え、前記一対の当接用鍔部を前記本体枠に下側から当接した状態で固定することにより、前記本体枠に取り付け固定されることを特徴とする。
【０００８】
この構成では、新設ボックスの一対の掛止用鍔部を上にするとともに、新設ボックスの高さ方向を本体枠の短手方向に合わせた状態で、新設の安定器ボックスの上になっている片側を本体枠内に挿入し、続いて新設ボックスの高さ方向を本体枠の長手方向に合わせて一対の掛止用鍔部を本体枠の長手方向の両側部に上側から掛止させ、続いて一対の当接用鍔部を本体枠の長手方向の両側部に下側から当接させて本体枠に取り付けることにより、既設の安定器ボックスを本体枠から取り外さなくても、新設の安定器ボックスを本体枠に取り付けることができ、既設の安定器ボックスの交換作業が容易となる。また、既設の安定器ボックスを本体枠に取り付けたままにできるので、頻繁に廃材が発生するのを防止することができる。
【０００９】
請求項２記載の発明は、請求項１記載の天井システム用安定器ボックスにおいて、前記一対の掛止用鍔部および前記一対の当接用鍔部は、それぞれ前記本体枠の一方のソケット台側および他方のソケット台側に設けられ、前記新設ボックスは、前記一対の当接用鍔部の側に、前記本体枠の他方のソケット台となる側部の一部と係合する係合部を有していることを特徴とする。この構成では、一対の当接用鍔部を本体枠の長手方向の両側部に下側から当接させた後、新設の安定器ボックスを本体枠の他方のソケット台側にスライドさせることにより、新設ボックスの係合部を本体枠の他方のソケット台となる側部の一部に係合させることができるので、新設ボックスを本体枠に仮固定することができる。これにより、取付作業時に新設の安定器ボックスが本体枠から落下するのを防止することができるとともに、新設の安定器ボックスを本体枠に取り付ける作業が容易となる。
【００１０】
請求項３記載の発明は、請求項１または２記載の天井システム用安定器ボックスにおいて、リード線を介して前記新設安定器の出力に接続される新設ソケットを複数備え、これら複数の新設ソケットは、前記複数のソケットに代えて前記各ソケット部に取り付けられることを特徴とする。この構成でも、既設の安定器ボックスを本体枠から取り外さなくても、新設の安定器ボックスを本体枠に取り付けることができる。
【発明の効果】
【００１１】
本発明によれば、既設の安定器ボックスを本体枠から取り外さなくても、新設の安定器ボックスを本体枠に取り付けることができ、既設の安定器ボックスの交換作業が容易となる上、頻繁に廃材が発生するのを防止することができる。
【発明を実施するための最良の形態】
【００１２】
（実施形態１）
図１は本発明による実施形態１の天井システム用安定器ボックスの構成図、図２は同天井システム用安定器ボックスの取付手順を示す図、図３は同天井システム用安定器ボックスと天井システムの一対の天井支持バーとの寸法関係の説明図である。
【００１３】
実施形態１の天井システム用安定器ボックスは、図２に示すように、図略の天井面に沿う平行な一対の天井支持バー（図では特許文献１と同じＴバー）１１，１１を複数組み含むシステム天井材と、それら複数組みの天井支持バーにそれぞれ載置される複数の照明器具２とを含む天井システムにおいて、既設の照明器具２における後述の安定器ボックス５の交換用として使用される新設の安定器ボックス８である。
【００１４】
システム天井材は、天井から垂下される吊りボルト、これに支持固定される例えばアルミＩＭバーなどを複数含み、平行なアルミＩＭバー間に上記一対の天井支持バー１１，１１が平行に懸架されるようになっている。
【００１５】
既設の照明器具２は、矩形枠状で、短手方向の両側部３１，３１の各々が二つのソケットを取り付けるためのソケット台を兼ねる形状に形成され、取付部材３０を４個用いて一対の天井支持バー１１，１１に載置される本体枠３と、この本体枠３の各ソケット台に取り付けられ、互いに対向配置される（図２（ｂ），（ｃ）では後述のボックス５０内に格納されている）二組のソケット４，４，４，４とを備えているほか、安定器ボックス５と、反射板６と、一対の端カバー７，７とを備えている。
【００１６】
本体枠３の側部３１は、図２および前述の図５に示すように、下方に開口３１ａを持つ箱状で、本体枠３の枠内側に位置する開口３１ａの縁部両端にそれぞれその枠内に突出する一対の鍔部３１１，３１１を有するとともに、それら鍔部３１１，３１１間に設けられ当該側部３１の上面と面一となる突片３１２を有する形状に形成されている。各鍔部３１１には、ねじＳ１用のねじ孔３１１ａが穿設されている。また、箱状の側部３１の内面には、ソケットを最大で２個係止するための係止片が形成されている。
【００１７】
安定器ボックス５は、図２に示すように、下方に開口５０ａを持つ箱状で、本体枠３の長手方向における開口５０ａの両縁部にそれぞれ外向きの一対の鍔部５００，５００を有する形状に形成され、本体枠３の長手方向の両側部３２，３２におけるその本体枠３の一方のソケット台（図では右方の側部３１）側に載置されるボックス５０を備えているとともに、交流電源からの電線と接続される端子台（図示せず）と、この端子台を介して接続される交流電源から放電灯用電力を得て上記二組のソケット間に装着される２本の蛍光灯（図示せず）に供給する安定器（図示せず）とを、上記ボックス５０内に備えている。
【００１８】
ここで、前述の図５に示すように、本体枠３の両側部３２，３２における一方のソケット台（図では右方の側部３１）側には、それぞれ、ねじＳ２用の一対のねじ孔３２ａ，３２ａが穿設されており、それらねじ孔３２ａ，３２ａに対応する一対のねじ挿通孔５００ａ，５００ａが鍔部５００の両端に穿設されている。また、一方のソケット台側の鍔部５００は、その側部３１における一対の鍔部３１１，３１１と突片３１２との間に挿入保持されるようになっている。
【００１９】
反射板６は、図２に示すように、矩形状の反射板の長手方向両端を下方に屈曲したコ字状の断面構造を持つ形状に形成され、長手方向の各端部に一対のねじ挿通孔６ａ，６ａを有している。これらねじ挿通孔６ａ，６ａは、本体枠３の側部３１における一対のねじ孔３１１ａ，３１１ａに対応する位置に設けられる。
【００２０】
各端カバー７は、反射板６の長手方向における台形状の各端部を覆う形状に形成され、その端部に取付固定されるようになっている。
【００２１】
安定器ボックス８は、図１，図２に示すように、下方に開口８０ａを持つ箱状で、本体枠３の両側部３２，３２に上側から掛止する一対の掛止用鍔部８０１，８０１およびそれら両側部３２，３２に下側から当接する一対の当接用鍔部８０２，８０２を有する形状に形成され、高さＨがそれら両側部３２，３２間の寸法よりも短い寸法に設定された新設ボックス８０と、二組のソケット８１，８１，８１，８１とを備えているとともに、交流電源からの電線Ｌ１と接続される端子台８２と、この端子台８２を介して接続される交流電源から放電灯用電力を得て上記二組のソケット間に装着される２本の蛍光灯に供給する安定器８３とを、上記新設ボックス８０内に備えている。
【００２２】
ここで、各ソケット８１には、例えば照明器具２のソケット４と同様のものが使用される。また、各掛止用鍔部８０２には、ねじＳ３用のねじ挿通孔８０２ａが穿設される。さらに、図３（ａ）に示すように、本体枠３の両側部３２，３２間の寸法（内寸）が例えば２５３ｍｍであるとき、本体枠３の長手方向における新設ボックス８０の各側面部の対角寸法が、図３（ｂ）の例に示すように、２４５．２ｍｍに設定される。なお、図１において、Ｌ２は各ソケット８１を安定器８３の出力に接続するためのリード線であり、８０ｂは、交流電源からの電線Ｌ１を挿通するための孔である。また、左方のソケット８１，８１は固定型であり、右方のソケット８１，８１は可動型である。
【００２３】
次に、既設の安定器ボックス５を新設の安定器ボックス８に交換する場合の手順例について説明する。まず、既設の照明器具２から、２本の蛍光灯、反射板６、一対の端カバー７，７および複数のソケット４，４，４，４を取り外す。このとき、各ソケット４と安定器ボックス５の安定器との間のリード線（図示せず）は、切断してもしなくてもどちらでもよい。
【００２４】
この後、各ソケットをボックス５０内に収納するとともに、交流電源からの電線Ｌ１を安定器ボックス５の端子台から外し、その電線Ｌ１を新設ボックス８０の孔８０ａに挿通して端子台８２に接続する。
【００２５】
この後、図２（ａ）に示すように、新設ボックス８０の一対の掛止用鍔部８０１，８０１を上にするとともに、新設ボックス８０の高さＨ方向を本体枠３の短手方向に合わせた状態で、安定器ボックス８の上になっている片側を本体枠３内に挿入する。続いて、図２（ｂ）に示すように、新設ボックス８０の高さＨ方向を本体枠３の長手方向に合わせて一対の掛止用鍔部８０１，８０１を本体枠３の両側部３２，３２に上側から掛止させる。これにより、安定器ボックス８が本体枠３に引っ掛かるので、以降の施工が容易となる。
【００２６】
この後、図２（ｃ）に示すように、一対の当接用鍔部８０２，８０２を本体枠３の両側部３２，３２に下側から当接させ、各当接用鍔部８０２のねじ挿通孔８０２ａに各ねじＳ３の足部を挿通して各側部３２に螺着する。この後、本体枠３の両側部３１，３１にソケット８１を２個づつ取り付け、続いて、ねじＳ１を４個用いて反射板６を本体枠３の両側部３１，３１にねじ止めするとともに、一対の端カバー７，７を反射板６の両端に装着して固定する。この後、二組のソケット間に２本の蛍光灯を装着する。
【００２７】
以上のように、実施形態１によれば、既設の安定器ボックス５を本体枠３から取り外さなくても、新設の安定器ボックス８を本体枠３に取り付けることができる。これにより、既設の安定器ボックス５の交換作業が容易となる。また、既設の安定器ボックス５を本体枠３に取り付けたままにできるので、頻繁に廃材が発生するのを防止することができる。
【００２８】
（実施形態２）
図４は本発明による実施形態２の天井システム用安定器ボックスの取付手順を示す図である。
【００２９】
実施形態２の天井システム用安定器ボックスは、実施形態１と同様に構成され、図４に示すように、側部３１の突片３１２を利用して、安定器ボックス８を仮固定することを特徴とする。すなわち、本体枠３の長手方向における新設ボックス８０の各側面部のうち、一対の当接用鍔部８０２，８０２側の側面部には、実施形態１と同様に、切欠部８０ｃが縁部中央に形成されており、その切欠部８０ｂが側部３１の突片３１２と係合するようになっている。
【００３０】
このような構成の天井システム用安定器ボックスでは、一対の当接用鍔部８０２，８０２を本体枠３の両側部３２、３２に下側から当接させた後、新設の安定器ボックス８を本体枠の他方のソケット台（図４では左方の側部３１）側にスライドさせることにより、新設ボックス８０の切欠部８０ｃを本体枠３の他方のソケット台となる側部３１の突片３１２に係合させることができるので、新設の安定器ボックス８を本体枠３に仮固定することができる。これにより、新設の安定器ボックス８が取付作業時に本体枠３から落下するのを防止することができるとともに、新設の安定器ボックス８を本体枠３に取り付ける作業が容易となる。
【図面の簡単な説明】
【００３１】
【図１】本発明による実施形態１の天井システム用安定器ボックスの構成図である。
【図２】同天井システム用安定器ボックスの取付手順を示す図である。
【図３】同天井システム用安定器ボックスと天井システムの一対の天井支持バーとの寸法関係の説明図である。
【図４】本発明による実施形態２の天井システム用安定器ボックスの取付手順を示す図である。
【図５】従来の天井システムに使用される照明器具の構成図である。
【符号の説明】
【００３２】
１１  天井支持バー
２  照明器具
３  本体枠
４  ソケット
５  安定器ボックス
５０  ボックス
６  反射板
７  端カバー
８  安定器ボックス
８０  新設ボックス
８０１  掛止用鍔部
８０２  当接用鍔部
８１  ソケット
８２  端子台
８３  安定器
【図１】
2005100862.tif 000003
【図２】
2005100862.tif 000004
【図３】
2005100862.tif 000005
【図４】
2005100862.tif 000006
【図５】
2005100862.tif 000007